(57)【要約】【課題】上下に隣り合う外装材間の目地部に挿入した場合に、上下に通気・通水を確保できるバックアップ材を提供する。【解決手段】上下に隣り合う外装材１５，１５間に形成される目地部１６に挿入された際に、躯体８に当接するとともに、通気・通水機能を有する通気・通水部材２と、この通気・通水部材２の上面に設けられて、シーリング材１８が充填される目地部１６の底面を構成する目地底構成部材３とを備えているので、バックアップ材１を目地部１６に挿入した際に、通気・通水部材２が躯体８に当接することによって、通気・通水部材２が躯体８と外装材１５との間に位置決めされるので、この通気・通水部材２によって上下に通気・通水を確保できる。【選択図】図１
2008156842.tif 000002
【特許請求の範囲】
【請求項１】
躯体と間に所定間隔をもって取り付けられた、上下に隣り合う外装材間に形成される目地部に挿入されるとともに、該目地部に充填されるシーリング材の下地となるバックアップ材であって、
前記目地部に挿入された際に、前記躯体に当接するとともに、通気・通水機能を有する通気・通水部材と、この通気・通水部材の上面に設けられて、前記シーリング材が充填される目地部の底面を構成する目地底構成部材とを備えていることを特徴とするバックアップ材。
【請求項２】
請求項１に記載のバックアップ材において、
前記通気・通水部材は、前記目地部の深さ方向に平行な壁を複数有するとともに、上下に貫通する貫通孔を複数有することを特徴とするバックアップ材。
【請求項３】
請求項１または２に記載のバックアップ材において、
前記目地底構成部材は、その厚さが、前記目地部の幅より若干大きくなっており、前記目地部に挿入された際に弾性的に圧縮されるものであることを特徴とするバックアップ材。
【請求項４】
請求項３に記載のバックアップ材において、
前記目地底構成部材は、前記通気・通水部材より厚く形成されていることを特徴とするバックアップ材。
【請求項５】
請求項１〜４のいずれか一項に記載のバックアップ材において、
前記通気・通水部材の底面には、接着層が設けられており、この接着層に剥離紙が設けられていることを特徴とするバックアップ材。
【発明の詳細な説明】
【技術分野】
【０００１】
本発明は、上下に隣り合う外装材間に形成される目地部に挿入されるとともに、該目地部に充填されるシーリング材の下地となるバックアップ材に関する。
【背景技術】
【０００２】
窯業系建築板等の外装材を建物の躯体に留め付けて外壁を構築する場合に、隣接する外装材の端面間に所定の間隔を設けた目地部を形成する場合がある。かかる目地部には、外装材の施工後，雨仕舞いのためのシーリング材を充填する。この場合、目地幅と略同幅の凸条を有するハットジョイナー等の目地ジョイナー（バックアップ材）を，隣接する外装材の端面間に配設する。そして、前記目地部における、バックアップ材の凸条の上面および外装材の端面との間に形成された部分にシーリング材を充填する（特許文献１参照）。
【特許文献１】特開２００３−３４３０２４号公報
【発明の開示】
【発明が解決しようとする課題】
【０００３】
ところで、建物の躯体に外装材を取り付ける場合、該外装材と躯体との間に所定の隙間を設け、この隙間を通気・通水空間とし、躯体と外装材との間に侵入した雨水や結露水等の水を滞留させることなく、乾燥、排出するようにしているものがある。
このような場合、前記ハットジョイナー等のバックアップ材を，隣り合う外装材の上下の端面間に配設すると、このバックアップ材によって、通気・通水空間が上下に仕切られてしまい、上下方向に通気・通水を確保できないという問題がある。
【０００４】
本発明は上記事情に鑑みてなされたもので、上下に隣り合う外装材間の目地部に挿入した場合に、上下に通気・通水を確保できるバックアップ材を提供することを課題としている。
【課題を解決するための手段】
【０００５】
上記課題を解決するために、請求項１に記載の発明は、例えば図１〜図４に示すように、躯体８と間に所定間隔Ｓをもって取り付けられた、上下に隣り合う外装材１５，１５間に形成される目地部１６に挿入されるとともに、該目地部１６に充填されるシーリング材１８の下地となるバックアップ材１であって、
前記目地部１６に挿入された際に、前記躯体８に当接するとともに、通気・通水機能を有する通気・通水部材２と、この通気・通水部材２の上面に設けられて、前記シーリング材１８が充填される目地部１６の底面を構成する目地底構成部材３とを備えていることを特徴とする。
【０００６】
請求項１に記載の発明によれば、バックアップ材１を目地部１６に挿入した際に、通気・通水部材２が躯体８に当接することによって、通気・通水部材２が躯体８と外装材１５との間に位置決めされるので、この通気・通水部材２によって上下に通気・通水を確保できる。
また、目地底構成部材３の上面と、上下に隣り合う外装材１５，１５の端面とによって目地部１６に凹溝１７を形成することができ、この凹溝１７にシーリング材１８を充填することによって、目地部１６の防水を確実に行うことができる。
【０００７】
請求項２に記載の発明は、請求項１に記載のバックアップ材１において、
前記通気・通水部材２は、前記目地部１６の深さ方向に平行な壁２ａを複数有するとともに、上下に貫通する貫通孔４を複数有することを特徴とする。
【０００８】
請求項２に記載の発明によれば、通気・通水部材２が上下に貫通する貫通孔４を複数有するので、これら貫通孔４を通して通気・通水を確実に確保できる。また、目地部１６の深さ方向に平行な壁２ａを複数有するので、これら壁２ａによって通気・通水部材２の目地部１６の深さ方向における強度を確保でき、よって、バックアップ材１を目地部１６に挿入する際に、通気・通水部材２が潰れたり破損するのを防止できる。
【０００９】
請求項３に記載の発明は、請求項１または２に記載のバックアップ材１において、
前記目地底構成部材３は、その厚さが、前記目地部１６の幅より若干大きくなっており、前記目地部１６に挿入された際に弾性的に圧縮されるものであることを特徴とする。
【００１０】
請求項３に記載の発明によれば、バックアップ材１を目地部１６に挿入する際に、目地底構成部材３が圧縮されつつ目地部１６に挿入され、その弾性復帰力によって上下に隣り合う外装材１５，１５の端面に圧接する。したがって、上下に隣り合う外装材１５，１５の端面に目地底構成部材３を隙間なく密着させることができるので、目地底構成部材３の上面と、上下に隣り合う外装材１５，１５の端面とによって形成された凹溝１７にシーリング材１８を確実に充填できる。
【００１１】
請求項４に記載の発明は、請求項３に記載のバックアップ材１において、
前記目地底構成部材３は、前記通気・通水部材２より厚く形成されていることを特徴とする。
【００１２】
ここで、目地底構成部材３の厚さとは、バックアップ材１を目地部１６に挿入した際における上下の厚さのことを意味する。
【００１３】
請求項４に記載の発明によれば、目地底構成部材３が通気・通水部材２より厚く形成されているので、つまり、通気・通水部材２は目地底構成部材３より薄いので、バックアップ材１を目地部１６に挿入する際に、通気・通水部材２を目地部１６に容易に挿入することができる。
【００１４】
請求項５に記載の発明は、請求項１〜４のいずれか一項に記載のバックアップ材１において、
前記通気・通水部材２の底面には、接着層５が設けられており、この接着層５に剥離紙６が設けられていることを特徴とする。
【００１５】
請求項５に記載の発明によれば、バックアップ材１の剥離紙６を剥がして、該バックアップ材１を目地部１６に挿入した際に、通気・通水部材２の底面に設けられた接着層５が躯体８に接着するので、バックアップ材１を目地部１６に確実に固定できる。
【発明の効果】
【００１６】
本発明によれば、上下に隣り合う外装材間に形成される目地部に挿入された際に、躯体に当接するとともに、通気・通水機能を有する通気・通水部材と、この通気・通水部材の上面に設けられて、シーリング材が充填される目地部の底面を構成する目地底構成部材とを備えているので、バックアップ材を目地部に挿入した際に、通気・通水部材が躯体に当接することによって、通気・通水部材が躯体と外装材との間に位置決めされるので、この通気・通水部材によって上下に通気・通水を確保できる。
また、目地底構成部材の上面と、上下に隣り合う外装材の端面とによって目地部に凹溝を形成することができ、この凹溝にシーリング材を充填することによって、目地部の防水を確実に行うことができる。
【発明を実施するための最良の形態】
【００１７】
以下図面を参照して本発明の実施の形態について説明する。
図１は本発明に係るバックアップ材の一例を示す斜視図、図２は同側面図、図３は図２におけるＡ−Ａ線断面図、図４はバックアップ材を目地部に挿入した状態を示す縦断面図である。
【００１８】
これらの図に示すように、バックアップ材１は、通気・通水機能を有する通気・通水部材２と、この通気・通水部材２の上面に設けられた目地底構成部材３とによって構成されている。このような構成のバックアップ材１は、図４に示すように、躯体８と間に所定間隔Ｓをもって取り付けられた、上下に隣り合う外装材１５，１５間に形成される目地部１６に挿入されるとともに、該目地部１６に充填されるシーリング材１８の下地となるものである。
通気・通水部材２は、合成樹脂等によって形成されたものであり、上下方向に平行な壁２ａと左右方向に平行な壁２ｂとが格子状に設けられている。そして、通気・通水部材２には、これら壁２ａ，２ｂによって多数の貫通孔４が形成されている。貫通孔４は左右方向に１５〜３０個程度、上下方向に３個程度配置されている。また、前記壁２ａは、バックアップ材１を目地部１６に挿入した際に、該目地部１６の深さ方向に平行な壁となる。
通気・通水部材２の底面には、図３に示すように、接着層５が設けられており、この接着層５に剥離紙６が剥離可能に設けられている。この剥離紙６を剥がすことによって通気・通水部材２の底面には、接着層５が現われ、この接着層５が躯体８に接着するようになっている。
【００１９】
前記目地底形成部材３は、シーリング材１８が充填される目地部１６の底面を構成するものであり、例えばポリエチレン発泡体やシリコーンスポンジ体によって直方体状に形成されている。このような目地底構成部材３はその上面３ａが目地部１６の底面を構成するようになっており、該上面３ａはシーリング材１８との接着力が小さくなっている。つまり、シーリング材１８の接着力は、外装材１５，１５の端面に比べて前記上面３ａが十分に小さくなっている。したがって、目地底構成部材３の上面３ａと、上下に隣り合う外装材１５，１５の端面とによって形成された凹溝１７に充填されたシーリング材１８が３面接着を起こさないようになっている。これにより、シーリング材１８は目地底構成部材３の上面３ａに接着することなく、外装材１５，１５の伸縮に追従して自らも伸縮し、その防水効果等を発揮することになる。
【００２０】
また、図３に示すように、目地底構成部材３は、その厚さ（図３において左右方向の幅）が、目地部１６の幅より若干大きくなっており、目地部１６に挿入された際に弾性的に圧縮されるようになっている。
さらに、目地底構成部材３は、通気・通水部材２より厚く形成されている。なお、バックアップ材１の厚さとは、図３において、左右方向の幅のことを意味しており、したがって、目地構成部材３、通気・通水部材３の厚さも左右方向の幅のことを意味している。
【００２１】
次に、上記のような構成のバックアップ材１を目地部に挿入してなるバックアップ材設置構造について図４を参照して説明する。
図４において、符号８は躯体を示す。この躯体８は木質の壁パネル１０と、床パネル１１と、胴差１２とを備えている。
壁パネル１０は、框材１０ａを縦横に組み立てて矩形枠を形成するとともに、この矩形枠の内部に必要に応じて補強桟材を縦横に組み付け、さらに矩形枠の表裏両面に合板等かならなる面材１０ｂ，１０ｂを取り付けたものである。また、床パネル１１は框材１１ａを縦横に組み立てて矩形枠を形成するとともに、この矩形枠の内部に必要に応じて補強桟材を縦横に組み付け、さらに矩形枠の表面に合板等かならなる面材１１ｂを取り付けたものである。
下階の壁パネル１０の上端面には、床パネル１１の端部と、胴差１２とが設置されており、胴差１２の表面は壁パネル１０の表面と面一となっている。床パネル１１の端部と胴差１２とには、上階の壁パネル１０が設置されており、上下階の壁パネル１０，１０は図示しない胴差ボルトによって連結されている。
【００２２】
壁パネル１０の表面には、胴縁１３が取り付けられている。胴縁１３は、水平方向に延在する横胴縁であり、上下に所定間隔で複数取り付けられている。これら胴縁１３に、外装材１５が取り付けられており、これによって、外装材１５は躯体８との間に所定間隔Ｓをもって該躯体８に取り付けられている。
上下に隣り合う外装材１５，１５の端面間には、目地部１６が形成されており、この目地部１６に前記バックアップ材１が、その底面の剥離紙６を剥がした状態で挿入されている。
バックアップ材１の底面は、躯体８の一部を構成する胴差８の表面に当接されており、前記接着層５によって胴差８の表面に接着固定されている。
【００２３】
バックアップ材１は、その通気・通水部材２に形成された貫通孔４を上下に向けた状態で目地部１６に挿入されており、通気・通水部２が前記隙間Ｓに位置し、目地底構成部材３が上下に隣り合う外装材１５，１５の端面間に位置している。また、目地底構成部材３の上面と、上下に隣り合う外装材１５，１５の端面とによって目地部１６に凹溝１７が形成されており、この凹溝１７に、シリコーンゴム系や変性シリコーンゴム系のシーリング材１８が充填されている。これによって、目地部１６の防水が行われている。
【００２４】
図５は、本発明に係るバックアップ材の他の例を示す側面図である。この図に示すバックアップ材２１が、図１〜図４に示すバックアップ材１と異なる点は、目地底構成部材の構成であるので、以下ではこの点について説明し、共通部分には同一符号を付してその説明を省略する。
図５に示すバックアップ材２１では、通気・通水部材２２の上面にボンドブレーカーと称されるテープ状の目地底構成部材２３が貼着されている。この目地底構成部材（ボンドブレーカー）２３は、テフロン(登録商標)テープ・シリコーンテープ・ポリエチレンテープ・ビニルテープなどの粘着テープで構成されている。
また、通気・通水部材２２は、基本的に前記通気・通水部材２と構成は同様であるが、その高さが通気・通水部材２より高くなっている。これは、目地底構成部材（ボンドブレーカー）２３が薄いテープ状のものであるために、バックアップ材２１の高さをバックアップ材１とほぼ等しくするためである。
本例では、目地構成部材２３がボンドブレーカーで構成されているので、通気・通水部材２２にボンドブレーカーを貼着することによって、容易にバックアップ材２２を製造できるという利点がある。
【００２５】
なお、上記の二つ例では、現場で壁パネル１０、床パネル１１、胴差１２等によって躯体８を構築した後、躯体８の表面に外装材１５を取り付ける場合において、上下に隣り合う外装材１５，１５間にバックアップ材１またはバックアップ材２１を挿入するようにしたが、例えば、工場等で壁パネル１０に予め外装材１５を取り付け、この外装材付き壁パネルを現場で組み立てる場合にも、上下に隣り合う外装材１５，１５間にバックアップ材１またはバックアップ材２１を挿入すればよい。
【００２６】
本実施の形態によれば、バックアップ材１，２１を目地部１６に挿入した際に、通気・通水部材２，２２が躯体８に当接することによって、通気・通水部材２，２２が躯体８と外装材１５との間に位置決めされるので、この通気・通水部材２，２２によって上下に通気・通水を確保できる。
また、目地底構成部材３，２３の上面と、上下に隣り合う外装材１５，１５の端面とによって目地部１６に凹溝１７を形成することができ、この凹溝１７にシーリング材１８を充填することによって、目地部１６の防水を確実に行うことができる。
さらに、通気・通水部材２，２２が上下に貫通する貫通孔４を複数有するので、この貫通孔４を通して通気・通水を確実に確保できる。また、目地部１６の深さ方向に平行な壁２ａを複数有するので、これら壁２ａによって通気・通水部材２，２２の目地部１６の深さ方向における強度を確保でき、よって、バックアップ材１，２１を目地部１６に挿入する際に、通気・通水部材２，２２が潰れたり破損するのを防止できる。
【００２７】
また、バックアップ材１を目地部１６に挿入する際に、目地底構成部材３が圧縮されつつ目地部１６に挿入され、その弾性復帰力によって上下に隣り合う外装材１５，１５の端面に圧接する。したがって、上下に隣り合う外装材１５，１５の端面に目地底構成部材３を隙間なく密着させることができるので、目地底構成部材３の上面３ａと、上下に隣り合う外装材１５の端面とによって形成された凹溝１７にシーリング材１８を確実に充填できる。
また、目地底構成部材３は、通気・通水部材２より厚く形成されているので、バックアップ材１を目地部１６に挿入する際に、通気・通水部材２を目地部１６に容易に挿入することができる。
加えて、通気・通水部材２，２２の底面には、接着層５が設けられており、この接着層５に剥離紙６が設けられているので、バックアップ材１，２１の剥離紙６を剥がして、該バックアップ材１，２１を目地部１６に挿入した際に、通気・通水部材２，２２の底面に設けられた接着層５が躯体８に接着するので、バックアップ材１，２１を目地部１６に確実に固定できる。
【図面の簡単な説明】
【００２８】
【図１】本発明に係るバックアップ材の一例を示すもので、その斜視図である。
【図２】同、側面図である。
【図３】同、図２におけるＡ−Ａ線断面図である。
【図４】図１に示すバックアップ材を目地部に挿入した状態を示す縦断面図である。
【図５】本発明に係るバックアップ材の一例を示すもので、その側面図である。
【符号の説明】
【００２９】
１，２１  バックアップ材
２，２２  通気・通水部材
３，２３  目地底構成部材
４  貫通孔
５  接着層
６  剥離紙
８  躯体
１５  外装材
１６  目地部
１８  シーリング材
【図１】
2008156842.tif 000003
【図２】
2008156842.tif 000004
【図３】
2008156842.tif 000005
【図４】
2008156842.tif 000006
【図５】
2008156842.tif 000007